(57)【要約】【課題】  伝送装置側の光ファイバの配列とケーブル側の光ファイバとの配列が異なる場合において、小型化および低コスト化が可能となる光ファイバ接続ユニットを提供する。【解決手段】  装置側光ファイバ３１、３２とケーブル側光ファイバ４２、４３とを切替可能に接続する光ファイバシート２６を備え、光ファイバシート２６は、装置側光ファイバ３１、３２が接続される装置側接続端部３３、３４と、ケーブル側光ファイバ４２、４３が接続されるケーブル側接続端部３５、３６と、装置側接続端部３１、３２をケーブル側接続端部３５、３６に接続する接続用光ファイバ３７、３８と、これら接続用光ファイバ３７、３８を内部に固定した固定シート３９とを備え、装置側接続端部３１、３２の配列と、ケーブル側接続端部４２、４３の配列とが互いに異なる。【選択図】  図２
2005195614.tif 000002
【特許請求の範囲】
【請求項１】
第１および第２の装置側光ファイバ（３１、３２）と、光ファイバケーブル（４１）側の複数のケーブル側光ファイバ（４２、４３）とを切替可能に接続する光ファイバ接続ユニットであって、
前記第１の装置側光ファイバ（３１）と前記ケーブル側光ファイバのうち１つ（４２）とを切替可能に接続するとともに、他のケーブル側光ファイバのうち１つ（４３）と前記第２の装置側光ファイバ（３２）とを切替可能に接続する光ファイバシート（２６）を備え、
この光ファイバシートは、前記第１および第２の装置側光ファイバが接続される第１および第２の装置側接続端部（３３、３４）と、
前記複数のケーブル側光ファイバがそれぞれ接続される複数のケーブル側接続端部（３５、３６）と、
前記第１および第２の装置側接続端部を前記ケーブル側接続端部に接続する接続用光ファイバ（３７、３８）と、
これら接続用光ファイバを内部に固定した固定シート（３９）とを備え、
前記第１および第２の装置側接続端部の配列と、前記複数のケーブル側接続端部の配列とが互いに異なることを特徴とする光ファイバ接続ユニット（１）。
【請求項２】
前記複数のケーブル側接続端部は、加入者相当分ごとに配列されていることを特徴とする請求項１に記載の光ファイバ接続ユニット。
【請求項３】
前記複数のケーブル側接続端部は、前記光ファイバケーブル相当分ごとに配列されていることを特徴とする請求項１に記載の光ファイバ接続ユニット。
【発明の詳細な説明】
【技術分野】
【０００１】
本発明は、光ファイバ同士を切替可能に接続する光配線盤などの光ファイバ接続ユニットに関する。
【背景技術】
【０００２】
図６および図７は、従来の光ファイバ接続ユニットの一例である光配線盤を示すものである。図６は、この光配線盤９１を示す概略構成図である。図７は、図６に示す光配線盤９１に接続される光ファイバケーブルの内部構造を示す図であり、（ａ）は光ファイバケーブル内のケーブル側光ファイバの配置を示し、（ｂ）は、（ａ）に示すケーブル側光ファイバを示す図である。
光配線盤９１は、架台２内に、映像データを伝送するＣＡＴＶ装置３と、他のデータを伝送するＤＡＴＡ伝送装置４と、カプラユニット５と、成端ユニット９２とを備えている。
光配線盤９１は、伝送方式が異なる２種類のデータ（ＣＡＴＶ装置３からのデータとＤＡＴＡ伝送装置４からのデータ）が、１本の光ファイバケーブル１０１によって伝送されるようになっている。
【０００３】
カプラユニット５は、収納部１１と、ＤＡＴＡ伝送装置４に接続された接続用光コード１２にコネクタ接続される分岐接続用光ファイバ１３と、この接続用光ファイバ１３が接続される複数の光コネクタアダプタ１４とを備えている。
成端ユニット９２は、収納部９３と、複数のＣＡＴＶ用光アダプタ９４と、複数のＤＡＴＡ用光アダプタ９５と、光アダプタ９４に接続されたジャンパコードなどのＣＡＴＶ接続用光コード９６と、光アダプタ９５に接続されたジャンパコードなどのＤＡＴＡ接続用光コード９７とを備えている。
ＣＡＴＶ用光アダプタ９４には、ＣＡＴＶ装置３に接続されたＣＡＴＶ用光コード３１がコネクタ接続され、ＤＡＴＡ用光アダプタ９５には、カプラユニット５の光アダプタ１４に接続されたＤＡＴＡ用光コード３２がコネクタ接続される。
接続用光コード９６、９７には、光ファイバケーブル１０１から引き出されたＣＡＴＶ用およびＤＡＴＡ用ケーブル側光ファイバ１０２、１０３が各々接続される。
【０００４】
ＣＡＴＶ用およびＤＡＴＡ用光コード３１、３２がＣＡＴＶ用およびＤＡＴＡ用光アダプタ９４、９５にコネクタ接続されることによって、これら光コード３１、３２は、それぞれＣＡＴＶ用およびＤＡＴＡ用ケーブル側光ファイバ１０２、１０３に切替可能に接続される。
成端ユニット９２は、光アダプタ９４、９５と接続用光コード９６、９７とをモジュール化することもできる。すなわち、光アダプタ９４、９５と接続用光コード９６、９７とをケース状のモジュール本体に収容した構成とすることができる。
【特許文献１】特許第３１７６９０６号公報
【発明の開示】
【発明が解決しようとする課題】
【０００５】
光配線盤９１は、伝送方式が異なる２種類のデータ、すなわちＣＡＴＶ装置３からのデータとＤＡＴＡ伝送装置４からのデータを対象とするため、ＣＡＴＶ用光コード３１が接続されるＣＡＴＶ用光アダプタ９４と、ＤＡＴＡ用光コード３２が接続されるＤＡＴＡ用光アダプタ９５とは、上下に分けて配置される。
一方、図７に示すように、ＣＡＴＶ用およびＤＡＴＡ用ケーブル側光ファイバ１０２、１０３は、一対が一加入者に相当するため、光ファイバケーブル１０１内で一対ごとに配列される。すなわち、テープ心線１０４内の光ファイバ１０２、１０３は交互に配列される。
このように、装置３、４側の光アダプタ９４、９５の配列とケーブル側光ファイバ１０２、１０３の配列とが異なるため、接続用光コード９６、９７を互いに交差させつつ配線する必要があり、配線が複雑になる。このため、接続用光コード９６、９７のための大きな収容スペースが必要になる。
また、接続用光コード９６、９７のコネクタ接続などにより光ファイバ接続箇所が多くなるため、部品数が増加し、コストが増大するという問題がある。
本発明は前記事情に鑑みてなされたもので、伝送装置側の光ファイバの配列とケーブル側の光ファイバとの配列が異なる場合において、小型化および低コスト化が可能となる光ファイバ接続ユニットを提供することを目的とする。
【課題を解決するための手段】
【０００６】
本発明の光ファイバ接続ユニットは、第１および第２の装置側光ファイバと、光ファイバケーブル側の複数のケーブル側光ファイバとを切替可能に接続する光ファイバ接続ユニットであって、前記第１の装置側光ファイバと前記ケーブル側光ファイバのうち１つとを切替可能に接続するとともに、他のケーブル側光ファイバのうち１つと前記第２の装置側光ファイバとを切替可能に接続する光ファイバシートを備え、この光ファイバシートは、前記第１および第２の装置側光ファイバが接続される第１および第２の装置側接続端部と、前記複数のケーブル側光ファイバがそれぞれ接続される複数のケーブル側接続端部と、前記第１および第２の装置側接続端部を前記ケーブル側接続端部に接続する接続用光ファイバと、これら接続用光ファイバを内部に固定した固定シートとを備え、前記第１および第２の装置側接続端部の配列と、前記複数のケーブル側接続端部の配列とが互いに異なることを特徴とする。
前記複数のケーブル側接続端部は、加入者相当分ごとに配列することができる。
前記複数のケーブル側接続端部は、前記光ファイバケーブル相当分ごとに配列することができる。
【発明の効果】
【０００７】
本発明の光ファイバ接続ユニットは、次に示す効果を奏する。
（１）接続用光ファイバを固定シートの内部に固定した構造を有する光ファイバシートを用いるので、省スペース化が可能となる。従って、光ファイバ接続ユニットの小型化が可能となる。
これに対し、ジャンパコードなどの接続用光ファイバを用いる場合には、この接続用光ファイバのための大きな収容スペースが必要となり、小型化が難しくなる。
（２）光ファイバシートは、接続用光ファイバのための補強構造や保持機構が不要であるため、構造が簡単であり、安価である。
従って、ジャンパコードなどの接続用光ファイバを用いる場合に比べ、低コスト化が可能である。
（３）構造が簡単な光ファイバシートを用いるので、製造が容易である。従って、さらなる低コスト化が可能である。
【発明を実施するための最良の形態】
【０００８】
図１および図２は、本発明の光ファイバ接続ユニットの第１の例である光配線盤１を示す図である。図１は、光配線盤１の概略構成を示す図である。図２は、光配線盤１に用いられる光モジュール２２を示す概略構成図である。
【０００９】
光配線盤１は、架台２内に、ＣＡＴＶ装置３と、ＤＡＴＡ伝送装置４と、カプラユニット５と、成端ユニット６とを備えている。
ＣＡＴＶ装置３は映像データを伝送する伝送装置であり、ＤＡＴＡ伝送装置４は他のデータを伝送する伝送装置である。
【００１０】
カプラユニット５は、収納部１１と、分岐接続用光ファイバ１３と、この接続用光ファイバ１３が接続される複数の光コネクタアダプタ１４とを備えている。以下、「光コネクタアダプタ」を単に「光アダプタ」という。
分岐接続用光ファイバ１３では、基端側光ファイバ１５が光カプラ１６により複数の分岐光ファイバ１７に分岐されている。
基端側光ファイバ１５には、ＤＡＴＡ伝送装置４に接続された接続用光コード１２がコネクタ接続される。分岐光ファイバ１７は、光アダプタ１４にコネクタ接続される。
【００１１】
成端ユニット６は、収納部２１と、その内部に設置された光モジュール２２とを備えている。
光モジュール２２は、ケース状のモジュール本体２３と、複数のＣＡＴＶ用光アダプタ２４と、複数のＤＡＴＡ用光アダプタ２５と、光ファイバシート２６と、接続用光ファイバ２７、２８とを備えている。
なお、本発明では、光モジュール２２を使用せず、光アダプタ２４、２５と光ファイバシート２６と接続用光ファイバ２７、２８を収納トレー（図示略）内に収納した構成も可能である。
【００１２】
ＣＡＴＶ用光アダプタ２４には、ＣＡＴＶ装置３に接続されたＣＡＴＶ用光コード３１（第１の装置側光ファイバ）がコネクタ接続されるようになっている。
ＤＡＴＡ用光アダプタ２５には、カプラユニット５の光アダプタ１４に接続されたＤＡＴＡ用光コード３２（第２の装置側光ファイバ）がコネクタ接続されるようになっている。
【００１３】
光ファイバシート２６は、複数のＣＡＴＶ用装置側接続端部３３（第１の装置側接続端部）と、複数のＤＡＴＡ用装置側接続端部３４（第２の装置側接続端部）と、複数のＣＡＴＶ用ケーブル側接続端部３５と、複数のＤＡＴＡ用ケーブル側接続端部３６と、ＣＡＴＶ接続用光ファイバ３７と、ＤＡＴＡ接続用光ファイバ３８と、これら接続用光ファイバ３７、３８を内部に固定した固定シート３９とを備えている。
固定シート３９は、ポリイミド、ＰＥＴなどの軟質樹脂製の薄い２枚のシートからなり、これら２枚のシートが、接続用光ファイバ３７、３８に挟んだ状態で接着剤などで接合、一体化されている。
【００１４】
図２に示すように、ＣＡＴＶ用装置側接続端部３３には、ＣＡＴＶ用光アダプタ２４に接続された接続用光ファイバ２７が融着接続などにより接続される。すなわち、ＣＡＴＶ用装置側接続端部３３には、光アダプタ２４と接続用光ファイバ２７を介してＣＡＴＶ用光コード３１が接続されることになる。
ＤＡＴＡ用装置側接続端部３４には、ＤＡＴＡ用光アダプタ２５に接続された接続用光ファイバ２８が融着接続などにより接続される。すなわち、ＤＡＴＡ用装置側接続端部３４には、光アダプタ２５と接続用光ファイバ２８を介してＤＡＴＡ用光コード３２が接続されることになる。
【００１５】
以下、図２を参照して、装置側接続端部３３、３４およびケーブル側接続端部３５、３６の配列について説明する。
図示例では、ＣＡＴＶ用装置側接続端部３３は４つ設けられ、いずれも固定シート３９の一方の辺３９ａの上部に所定の間隔をおいて形成されている。
ＤＡＴＡ用装置側接続端部３４は４つ設けられ、いずれも固定シート３９の辺３９ａの下部に所定の間隔をおいて形成されている。
すなわち、固定シート３９の辺３９ａには、上部から下部にかけて、４つの装置側接続端部３３に続いて４つの装置側接続端部３４が配列されている。
【００１６】
一方、ＣＡＴＶ用ケーブル側接続端部３５およびＤＡＴＡ用ケーブル側接続端部３６は、４つずつ設けられ、固定シート３９の他方の辺３９ｂに、上部から下部にかけて交互に配列されている。
【００１７】
ＣＡＴＶ接続用光ファイバ３７は、ＣＡＴＶ用装置側接続端部３３とＣＡＴＶ用ケーブル側接続端部３５との間に設けられる。
ＤＡＴＡ接続用光ファイバ３８は、ＤＡＴＡ用装置側接続端部３４とＤＡＴＡ用ケーブル側接続端部３６との間に設けられる。
ケーブル側接続端部３５、３６には、光ファイバケーブル４１から引き出されたＣＡＴＶ用およびＤＡＴＡ用ケーブル側光ファイバ４２、４３が各々融着接続などにより接続される。
ケーブル側光ファイバ４２、４３は一対が一加入者に相当するため、交互に配列されたケーブル側接続端部３５、３６は、加入者相当分ごとに配列されることになる。
【００１８】
ＣＡＴＶ用およびＤＡＴＡ用光コード３１、３２がＣＡＴＶ用およびＤＡＴＡ用光アダプタ２４、２５にコネクタ接続されることによって、これら光コード３１、３２をそれぞれＣＡＴＶ用およびＤＡＴＡ用ケーブル側光ファイバ４２、４３に切替可能に接続することができる。
【００１９】
上記光配線盤１では、ケーブル側接続端部３５、３６が交互に配列された光ファイバシート２６を用いたが、ケーブル側接続端部の配列はこれに限定されない。例えば、ケーブル側接続端部３５とケーブル側接続端部３６とを２つずつ配列してもよい。
本発明では、ケーブル側接続端部３５、３６の配列が異なる複数の光ファイバシートを用意しておき、使用形態に応じて光ファイバシートを選択使用することができる。
これによって、使用形態に応じた配線変更に迅速に対応することができる。
【００２０】
光配線盤１では、以下に示す効果を奏する。
（１）接続用光ファイバ３７、３８を固定シート３９の内部に固定した構造を有する光ファイバシート２６を用いるので、省スペース化が可能となる。従って、光配線盤１や光モジュール２２の小型化が可能となる。
これに対し、光ファイバシートを用いず、これに代えてジャンパコードなどの接続用光ファイバを用いる従来装置では、接続用光ファイバを交差させつつ配線することになるため、配線が複雑になり、接続用光ファイバのための大きな収容スペースが必要となることから、小型化が難しい。
（２）光ファイバシート２６は、接続用光ファイバ３７、３８が固定シート３９に固定された構造を有するため、接続用光ファイバ３７、３８に他の補強構造や保持機構が不要である。このため、構造が簡単であり、安価である。
従って、ジャンパコードなどの接続用光ファイバを用いる場合に比べ、低コスト化が可能である。
（３）光ファイバシート２６は、接続用光ファイバ３７、３８が固定シート３９に固定された構造を有するため、接続用光ファイバ３７、３８に無理な力が加えられにくい。
このため、接続用光ファイバ３７、３８と光ファイバ２７、２８、４２、４３との接続に融着接続を採用した場合でも接続部分の破損が起こりにくい。
融着接続を採用できるため、コネクタ接続を採用する場合に比べ、装置構成を簡略化することができ、低コスト化が可能となる。
（４）構造が簡単な光ファイバシート２６を用いるので、製造が容易である。従って、さらなる低コスト化が可能である。
（５）ケーブル側接続端部３５、３６の配列が異なる複数の光ファイバシートを用意しておき、使用形態に応じて光ファイバシートを選択使用することによって、使用形態に応じた配線変更に迅速に対応することができる。
（６）ケーブル側接続端部３５、３６が交互に配列されているので、ケーブル側光ファイバ４２、４３も交互に配列される。
このため、加入者ごとに光ファイバケーブル４１内に一対ずつ配列されたケーブル側光ファイバ４２、４３を、ケーブル側接続端部３５、３６に接続する作業が容易になる。
【００２１】
次に、本発明の光ファイバ接続ユニットの第２の例である光配線盤５１を説明する。
図３および図４は、この光配線盤５１を示す図である。図３は、光配線盤５１の概略構成を示す図である。図４は、光配線盤５１に用いられる光モジュール７２を示す概略構成図である。図５は、光配線盤５１に使用される光ファイバケーブル６１、６２の配線図である。
なお、以下の説明において、上述の光配線盤１と共通する部材については同一符号を付して説明を省略または簡略化する。
【００２２】
図５に示すように、ＣＡＴＶ装置３から映像データを伝送する場合には、分岐された２つの回線Ａ、Ｂを用い、同じデータを２つのルートでノード側端末５２に伝送する方法がとられることがある。
図３および図４に示す光配線盤５１は、ＣＡＴＶ装置３からのデータを、主回線用光ファイバケーブル６１（主回線Ａ）と副回線用光ファイバケーブル６２（副回線Ｂ）を通して伝送するものである。
以下、「主回線用」を単に「主」と略記し、「副回線用」を単に「副」と略記することがある。
【００２３】
図３および図４に示すように、光配線盤５１は、架台２内に、ＣＡＴＶ装置３と、ＤＡＴＡ伝送装置４と、カプラユニット５と、ＤＡＴＡ用成端ユニット５３と、ＣＡＴＶ用成端ユニット５４とを備えている。
ＤＡＴＡ用成端ユニット５３は、収納部５５と、光アダプタ１４に接続された接続用光コード５６がコネクタ接続される光アダプタ５７と、光アダプタ５７に接続された接続用光ファイバ５８とを備えている。
この接続用光ファイバ５８は、主回線用光ファイバケーブル６１から引き出された主回線用ケーブル側光ファイバ６３に接続されている。
【００２４】
ＣＡＴＶ用成端ユニット５４は、収納部７１と、その内部に設置された光モジュール７２とを備えている。
図４に示すように、光モジュール７２は、ケース状のモジュール本体７３と、複数の光アダプタ７４と、これら光アダプタ７４にそれぞれ接続された分岐接続用光ファイバ７５と、光ファイバシート７６とを備えている。
光アダプタ７４には、ＣＡＴＶ装置３に接続されたＣＡＴＶ用光コード３１がコネクタ接続される。
【００２５】
分岐接続用光ファイバ７５では、光アダプタ７４にコネクタ接続された基端側光ファイバ７８が、光カプラ７９により主回線用分岐光ファイバ８１（第１の装置側光ファイバ）と副回線用分岐光ファイバ８２（第２の装置側光ファイバ）とに分岐されている。
分岐接続用光ファイバ７５は複数設けられているため、主回線用および副回線用分岐光ファイバ８１、８２もそれぞれ複数設けられている。
なお、本発明では、光モジュール７２を使用せず、光アダプタ７４と分岐接続用光ファイバ７５と光ファイバシート７６とを収納トレー（図示略）内に収納した構成も可能である。
【００２６】
光ファイバシート７６は、複数の主回線用装置側接続端部８３と、複数の副回線用装置側接続端部８４と、複数の主回線用ケーブル側接続端部８５と、複数の副回線用ケーブル側接続端部８６と、主回線用および副回線用接続用光ファイバ８７、８８と、これら接続用光ファイバ８７、８８を内部に固定した固定シート８９とを備えている。
主装置側接続端部８３には、分岐接続用光ファイバ７５の主分岐光ファイバ８１が接続され、副装置側接続端部８４には、副分岐光ファイバ８２が接続される。
装置側接続端部８３、８４は、それぞれ接続用光ファイバ８７、８８によりケーブル側接続端部８５、８６に接続されている。
【００２７】
以下、図４を参照して、装置側接続端部８３、８４およびケーブル側接続端部８５、８６の配列について説明する。
図示例では、分岐接続用光ファイバ７５が８つ使用されているため、主分岐光ファイバ８１および副分岐光ファイバ８２の数はそれぞれ８つとなる。
主分岐光ファイバ８１が接続される８つの主装置側接続端部８３と、副分岐光ファイバ８２が接続される８つの副装置側接続端部８４とは、固定シート８９の一方の辺８９ａの上部から下部にかけて交互に形成されている。
【００２８】
一方、主ケーブル側接続端部８５は８つ設けられ、いずれも固定シート８９の他方の辺８９ｂの上部に所定の間隔をおいて形成されている。
副ケーブル側接続端部８６は８つ設けられ、辺８９ｂの下部に所定の間隔をおいて形成されている。
すなわち、固定シート８９の辺８９ｂには、上部から下部にかけて、８つの主ケーブル側接続端部８５に続いて８つの副ケーブル側接続端部８６が配列されている。
【００２９】
主ケーブル側接続端部８５には、主光ファイバケーブル６１から引き出された主ケーブル側光ファイバ６４が接続されている。
副ケーブル側接続端部８６には、副光ファイバケーブル６２から引き出された副ケーブル側光ファイバ６５が接続されている。
このため、上記主光ファイバケーブル６１が接続される主ケーブル側接続端部８５と、副光ファイバケーブル６２が接続される副ケーブル側接続端部８６とは、光ファイバケーブル相当分ごとに上下に分けられて配列されていることになる。
【００３０】
光配線盤５１では、分岐光ファイバ８１、８２がそれぞれ装置側接続端部８３、８４に接続されることによって、これら分岐光ファイバ８１、８２をそれぞれケーブル側光ファイバ６４、６５に切替可能に接続することができる。
【００３１】
この光配線盤５１では、光ファイバシート７６を用いるので、上述の第１の例の光配線盤１と同様に、光配線盤５１および光モジュール７２を小型化できる。また、構造を簡略化できるため低コスト化を図ることができる。
これに対し、光ファイバシートを用いず、これに代えてジャンパコードなどの接続用光ファイバを用いる場合には、これら接続用光ファイバを交差させつつ配線するか、または分岐接続用光ファイバ７５の分岐光ファイバ８１、８２を交差させつつ配線することが必要となる。
このため、上記接続用光ファイバと分岐接続用光ファイバ７５とをそれぞれユニット化（例えばモジュール化）してコネクタ接続する構造が採用されることから、構造が複雑になり、小型化および低コスト化が難しくなる。
【図面の簡単な説明】
【００３２】
【図１】本発明の光ファイバ接続ユニットの第１の例を示す概略構成図である。
【図２】図１に示す光配線盤に用いられる光モジュールを示す概略構成図である。
【図３】本発明の光ファイバ接続ユニットの第２の例を示す概略構成図である。
【図４】図３に示す光配線盤に用いられる光モジュールを示す概略構成図である。
【図５】図３に示す光配線盤に接続される光ファイバケーブルの配線図である。
【図６】従来の光ファイバ接続ユニットの一例を示す概略構成図である。
【図７】図６に示す光配線盤に接続される光ファイバケーブルの内部構造を示す説明図であり、（ａ）は光ファイバケーブル内のケーブル側光ファイバの配置を示し、（ｂ）は、（ａ）に示すケーブル側光ファイバを示す図である。
【符号の説明】
【００３３】
１・・・光配線盤（光ファイバ接続ユニット）、３・・・ＣＡＴＶ装置、４・・・ＤＡＴＡ伝送装置、３１・・・ＣＡＴＶ用光コード（第１の装置側光ファイバ）、３２・・・ＤＡＴＡ用光コード（第２の装置側光ファイバ）、３３・・・ＣＡＴＶ用装置側接続端部（第１の装置側接続端部）、３４・・・ＤＡＴＡ用装置側接続端部（第２の装置側接続端部）、３５・・・ＣＡＴＶ用ケーブル側接続端部、３６・・・ＤＡＴＡ用ケーブル側接続端部、３７・・・ＣＡＴＶ接続用光ファイバ、３８・・・ＤＡＴＡ接続用光ファイバ、４１・・・光ファイバケーブル、４２・・・ＣＡＴＶ用ケーブル側光ファイバ（ケーブル側光ファイバのうち１つ）、４３・・・ＤＡＴＡ用ケーブル側光ファイバ（他のケーブル側光ファイバのうち１つ）、６１・・・主回線用光ファイバケーブル、６２・・・副回線用光ファイバケーブル、６４・・・主回線用ケーブル側光ファイバ（ケーブル側光ファイバのうち１つ）、６５・・・副回線用ケーブル側光ファイバ（他のケーブル側光ファイバのうち１つ）、８１・・・主回線用分岐光ファイバ（第１の装置側光ファイバ）、８２・・・副回線用分岐光ファイバ（第２の装置側光ファイバ）、８３・・・主回線用装置側接続端部（第１の装置側接続端部）、８４・・・副回線用装置側接続端部（第２の装置側接続端部）、８５・・・主回線用ケーブル側接続端部、８６・・・副回線用ケーブル側接続端部、８７・・・主回線用接続用光ファイバ、８８・・・副回線用接続用光ファイバ
【図１】
2005195614.tif 000003
【図２】
2005195614.tif 000004
【図３】
2005195614.tif 000005
【図４】
2005195614.tif 000006
【図５】
2005195614.tif 000007
【図６】
2005195614.tif 000008
【図７】
2005195614.tif 000009